【手続補正書】
【提出日】平成29年7月12日(2017.7.12)
【手続補正１】
【補正対象書類名】明細書
【補正対象項目名】００１６
【補正方法】変更
【補正の内容】
【００１６】
したがって、第１の態様によれば、本発明の主題は、１００ｍｏｌ％に対して、
（ｉ）３０ｍｏｌ％以上９９．５ｍｏｌ％未満の割合の部分的に塩化された又は完全に塩化された強酸官能基を有するモノマーに由来するモノマー単位と、
（ｉｉ）０．５ｍｏｌ％以上５％以下の割合の式（Ｉ）：
ＣＨ２＝Ｃ（ＣＨ３）−Ｃ（＝Ｏ）−ＯＲ１    （Ｉ）
（式中、Ｒ１は炭素数１０〜１８のアルキルラジカルを表す）の少なくとも１つのモノマーに由来するモノマー単位と、
（ｉｉｉ）０ｍｏｌ％超５ｍｏｌ％以下の割合の少なくとも１つのジエチレン又はポリエチレンの架橋モノマーに由来するモノマー単位と、
（ｉｖ）６９．５ｍｏｌ％未満の割合の中性モノマーに由来するモノマー単位と、
の重合の結果得られる架橋されたアニオン性高分子電解質である。
【手続補正２】
【補正対象書類名】明細書
【補正対象項目名】００２１
【補正方法】変更
【補正の内容】
【００２１】
別の特定の態様によれば、本発明の主題は、前記式（Ｉ）：
ＣＨ２＝Ｃ（ＣＨ３）−Ｃ（＝Ｏ）−ＯＲ１    （Ｉ）
のモノマーに由来するモノマー単位が、Ｒ１がドデシルラジカルを表す式（Ｉ）に対応する式（Ｉ１）のラウリルメタクリレート、及びＲ１がオクタデシルラジカルを表す式（Ｉ）に対応する式（Ｉ２）のステアリルメタクリレートに（Ｉ１）／（Ｉ２）のモル比１／１０以上１０／１以下で由来する、上に定義されるアニオン性高分子電解質である。
【手続補正３】
【補正対象書類名】明細書
【補正対象項目名】００２２
【補正方法】変更
【補正の内容】
【００２２】
別の特定の態様によれば、本発明の主題は、前記式（Ｉ）：
ＣＨ２＝Ｃ（ＣＨ３）−Ｃ（＝Ｏ）−ＯＲ１    （Ｉ）
のモノマーに由来するモノマー単位が、前記式（Ｉ１）のラウリルメタクリレート、及びＲ１がイソデシルラジカルを表す式（Ｉ）に対応する式（Ｉ３）のイソデシルメタクリレートに（Ｉ１）／（Ｉ３）のモル比１／１０以上１０／１以下で由来する、上に定義されるアニオン性高分子電解質である。
【手続補正４】
【補正対象書類名】明細書
【補正対象項目名】０１１８
【補正方法】変更
【補正の内容】
【０１１８】
【表１】
2016525606.tif 000001
【手続補正５】
【補正対象書類名】明細書
【補正対象項目名】０１２０
【補正方法】変更
【補正の内容】
【０１２０】
Ｃ）本発明による高分子電解質を用いて調製された製剤の例（割合を重量パーセントとして表す）
実施例１：ケアクリーム
ＣＹＣＬＯＭＥＴＨＩＣＯＮＥ（商標）：                １０％
高分子電解質１：                                      ０．８％
ＭＯＮＴＡＮＯＶ（商標）  ６８：                      ２％
ステアリルアルコール：                                １％
ステアリン酸：                                        ０．５％
防腐剤：                                              ０．６５％
リジン：                                              ０．０２５％
ＥＤＴＡ（二ナトリウム塩）：                          ０．０５％
キサンタンガム：                                      ０．２％
グリセロール：                                        ３％
水：                                                  適量添加して１００％とする
【手続補正６】
【補正対象書類名】特許請求の範囲
【補正対象項目名】全文
【補正方法】変更
【補正の内容】
【特許請求の範囲】
【請求項１】
１００ｍｏｌ％に対して、
（ｉ）３０ｍｏｌ％以上９９．５ｍｏｌ％未満の割合の部分的に塩化された又は完全に塩化された強酸官能基を有するモノマーに由来するモノマー単位と、
（ｉｉ）０．５ｍｏｌ％以上５％以下の割合の式（Ｉ）：
ＣＨ２＝Ｃ（ＣＨ３）−Ｃ（＝Ｏ）−ＯＲ１    （Ｉ）
（式中、Ｒ１は炭素数１０〜１８のアルキルラジカルを表す）の少なくとも１つのモノマーに由来するモノマー単位と、
（ｉｉｉ）０ｍｏｌ％超５ｍｏｌ％以下の割合の少なくとも１つのジエチレン又はポリエチレンの架橋モノマーに由来するモノマー単位と、
（ｉｖ）６９．５ｍｏｌ％未満の割合の中性モノマーに由来するモノマー単位と、
の重合の結果得られる架橋されたアニオン性高分子電解質。
【請求項２】
前記部分的に塩化された又は完全に塩化された強酸官能基を有するモノマーに由来する前記モノマー単位が、ナトリウム塩又はアンモニウム塩の形態の部分的に塩化された又は完全に塩化された２−メチル−２−［（１−オキソ−２−プロペニル）アミノ］−１−プロパンスルホン酸に由来する、請求項１に記載の架橋されたアニオン性高分子電解質。
【請求項３】
前記式（Ｉ）：
ＣＨ２＝Ｃ（ＣＨ３）−Ｃ（＝Ｏ）−ＯＲ１    （Ｉ）
のモノマーに由来するモノマー単位が、Ｒ１がドデシルラジカルを表す式（Ｉ）に対応する式（Ｉ１）のラウリルメタクリレート、及びＲ１がオクタデシルラジカルを表す式（Ｉ）に対応する式（Ｉ２）のステアリルメタクリレートに（Ｉ１）／（Ｉ２）のモル比１／１０以上１０／１以下で由来する、請求項１又は２に記載の架橋されたアニオン性高分子電解質。
【請求項４】
前記式（Ｉ）：
ＣＨ２＝Ｃ（ＣＨ３）−Ｃ（＝Ｏ）−ＯＲ１    （Ｉ）
のモノマーに由来するモノマー単位が、前記式（Ｉ１）のラウリルメタクリレート、及びＲ１がイソデシルラジカルを表す式（Ｉ）に対応する式（Ｉ３）のイソデシルメタクリレートに（Ｉ１）／（Ｉ３）のモル比１／１０以上１０／１以下で由来する、請求項１又は２に記載の架橋されたアニオン性高分子電解質。
【請求項５】
少なくとも１つのジエチレン又はポリエチレンの架橋モノマーに由来するモノマー単位のモル割合が０．１ｍｏｌ％以上３．０ｍｏｌ％以下である、請求項１〜４のいずれか一項に記載の架橋されたアニオン性高分子電解質。
【請求項６】
前記架橋剤及び／又は前記分岐剤がエチレングリコールジメタクリレート、テトラアリルオキシエタン、エチレングリコールジアクリレート、ジアリルウレア、トリアリルアミン、トリメチロールプロパントリアクリレート及びメチレンビス（アクリルアミド）、又はこれらの化合物の混合物から選択されることを特徴とする、請求項１〜５のいずれか一項に記載の架橋されたアニオン性高分子電解質。
【請求項７】
中性モノマーの不在下での重合の結果得られることを特徴とし、強酸官能基を有するモノマーのモル割合が使用されるモノマー１００ｍｏｌ％に対して９７ｍｏｌ％超である、請求項１〜６のいずれか一項に記載のアニオン性高分子電解質。
【請求項８】
１又は複数の中性モノマーの存在下での重合の結果得られることを特徴とし、中性モノマーのモル割合が使用されるモノマー１００ｍｏｌ％に対して６９．５ｍｏｌ％未満であり、前記中性モノマーがアクリルアミド、（２−ヒドロキシエチル）アクリレート、又はＮ，Ｎ−ジメチルアクリルアミドから選択されることを特徴とする、請求項１〜７のいずれか一項に記載の架橋されたアニオン性高分子電解質。
【請求項９】
使用されるモノマー１００ｍｏｌ％に対して３０ｍｏｌ％以下の中性モノマーのモル割合で、１又は複数の中性モノマーの存在下での重合によって得られることを特徴とする、請求項１〜６及び８のいずれか一項に記載のアニオン性高分子電解質。
【請求項１０】
１００ｍｏｌ％に対して、
（ｉ）７５ｍｏｌ％以上９５ｍｏｌ％以下のモル割合のナトリウム塩又はアンモニウム塩の形態の部分的に塩化された又は完全に塩化された２−メチル−２−［（１−オキソ−２−プロペニル）アミノ］−１−プロパンスルホン酸に由来するモノマー単位と、
（ｉｉ）０．５ｍｏｌ％以上５ｍｏｌ％以下の割合の（Ｉ１）／（Ｉ２）のモル比１／６以上６／１以下の式（Ｉ１）のラウリルメタクリレートと、式（Ｉ２）のステアリルメタクリレートとに由来するモノマー単位と、
（ｉｉｉ）０．５ｍｏｌ％以上３．０ｍｏｌ％以下の割合のトリアリルアミン、トリメチロールプロパントリアクリレート、又はメチレンビス（アクリルアミド）から選択される少なくとも１つのジエチレン又はポリエチレンの架橋モノマーに由来するモノマー単位と、
（ｉｖ）４．０ｍｏｌ％以上２０ｍｏｌ％以下のモル割合の中性モノマーに由来するモノマー単位と、
の重合の結果得られる、請求項１〜６及び８又は９のいずれか一項に記載の架橋されたアニオン性高分子電解質。
【請求項１１】
１００ｍｏｌ％に対して、
（ｉ）８３ｍｏｌ％以上９０ｍｏｌ％以下の割合のナトリウム塩又はアンモニウム塩の形態の部分的に塩化された又は完全に塩化された２−メチル−２−［（１−オキソ−２−プロペニル）アミノ］−１−プロパンスルホン酸に由来するモノマー単位と、
（ｉｉ）１．５ｍｏｌ％以上２．５ｍｏｌ％以下の割合の（Ｉ１）／（Ｉ２）のモル比１／６以上６／１以下の式（Ｉ１）のラウリルメタクリレートと、式（Ｉ２）のステアリルメタクリレートとに由来するモノマー単位と、
（ｉｉｉ）０．５ｍｏｌ％以上３．０ｍｏｌ％以下の割合のトリメチロールプロパントリアクリレート又はメチレンビス（アクリルアミド）に由来するモノマー単位と、
（ｉｖ）８ｍｏｌ％以上〜１５ｍｏｌ％以下の割合の（２−ヒドロキシエチル）アクリレートに由来するモノマー単位と、
の重合の結果得られる、請求項１〜６及び８〜１０のいずれか一項に記載の架橋されたアニオン性高分子電解質。
【請求項１２】
全てのモノマー、強酸官能基を有する前記モノマーに対するアンモニウム含有中和剤、前記架橋剤、並びに必要に応じて又は望ましい場合は、他のモノマー及び／又は添加剤を有機溶媒、好ましくはｔｅｒｔ−ブタノール中で混合する工程ａ）と、
工程ａ）で調製された分散物中にフリーラジカル開始剤を導入することによって重合反応を開始し、その後、重合反応が完了するまで継続させる工程ｂ）と、
任意に、存在するアンモニウムイオンをナトリウムイオン又はカリウムイオンと交換す
る工程ｃ）と、
工程ｂ）、任意に工程ｃ）の終わりに形成されるポリマーを沈殿させる工程ｄ）と、
任意に、工程ｄ）の終わりに得られた沈殿物を乾燥する工程ｅ）と、
を含むことを特徴とする、請求項１〜１１のいずれか一項に記載の高分子電解質を作製する方法。
【請求項１３】
化粧品、皮膚医薬又は医薬の局所組成物の増粘剤及び／又は安定化剤及び／又は乳化剤としての請求項１〜１１のいずれか一項に記載のアニオン性高分子電解質の使用。
【請求項１４】
０．１重量％〜１０重量％の請求項１〜１１のいずれか一項に記載のアニオン性高分子電解質を含む局所組成物。